(57)【要約】【課題】  高い生産性を確保しつつ、製品基板の信頼性を向上させる。【解決手段】  実装処理が施された基板をカメラにより撮像してその画像データに基づき実装処理の良否を検査する実装検査装置４において、画像データに基づいて処理の良否を判定する判定部６１２と、検査タイミングに関するパラメータおよび検査レベルに関するパラメータを記憶する記憶部６１３と、この記憶手段に記憶されたパラメータに基づいて検査タイミング等を設定可能とするキーボード６８等の設定手段と、設定された検査タイミングおよび検査レベルに従って検査を実施すべくカメラ等を制御する主制御部６１１とを備える。前記設定手段については、複数の検査タイミングを設定可能に構成され、かつその設定タイミング毎に個別に検査レベルを設定可能に構成されている。【選択図】      図１
2006214820.tif 000002
【特許請求の範囲】
【請求項１】
複数の基板を順次搬送しながらペースト塗布、部品実装、リフローの少なくとも一つの処理を基板に施す処理装置の下流側に設けられ、前記処理が施された基板を撮像手段により撮像してその画像データに基づき前記処理の良否を検査する装置であって、
前記撮像手段により撮像された基板の画像データに基づいて前記処理の良否を判定する判定手段と、
検査タイミングに関するパラメータを記憶する記憶手段と、
この記憶手段に記憶された前記パラメータに基づいて検査タイミングを設定可能とする設定手段と、
この設定手段により設定された検査タイミングで、かつ当該検査タイミングについて予め設定されている検査内容に従って前記検査を実施すべく前記撮像手段および判定手段を制御する制御手段とを備え、
前記設定手段は、検査タイミングに関する前記パラメータから複数のタイミングを設定可能に構成されていることを特徴とする基板検査装置。
【請求項２】
複数の基板を順次搬送しながらペースト塗布、部品実装、リフローの少なくとも一つの処理を基板に施す処理装置の下流側に設けられ、前記処理が施された基板を撮像手段により撮像してその画像データに基づき前記処理の良否を検査する装置であって、
前記撮像手段により撮像された基板の画像データに基づいて前記処理の良否を判定する判定手段と、
検査内容に関するパラメータを記憶する記憶手段と、
この記憶手段に記憶された前記パラメータに基づいて検査内容を設定可能とする設定手段と、
予め設定されている検査タイミングで、かつ前記設定手段により設定された検査内容に従って前記検査を実施すべく前記撮像手段および判定手段を制御する制御手段とを備え、
前記設定手段は、前記検査タイミングとして複数の検査タイミングが予め設定されている場合には、検査タイミング毎に個別に検査内容を設定可能に構成されていることを特徴とする基板検査装置。
【請求項３】
複数の基板を順次搬送しながらペースト塗布、部品実装、リフローの少なくとも一つの処理を基板に施す処理装置の下流側に設けられ、前記処理が施された基板を撮像手段により撮像してその画像データに基づき前記処理の良否を検査する装置であって、
前記撮像手段により撮像された基板の画像データに基づいて前記処理の良否を判定する判定手段と、
検査タイミングに関するパラメータおよび検査内容に関するパラメータを記憶する記憶手段と、
この記憶手段に記憶された前記パラメータに基づいて検査タイミングおよび検査内容を設定可能とする設定手段と、
この設定手段により設定された検査タイミングおよび検査内容に従って前記検査を実施すべく前記撮像手段および判定手段を制御する制御手段とを備え、
前記設定手段は、検査タイミングに関する前記パラメータから複数のタイミングを設定可能に構成され、かつその設定タイミング毎に個別に検査内容を設定可能に構成されていることを特徴とする基板検査装置。
【請求項４】
請求項２又は３に記載の基板検査装置において、
検査内容に関する前記パラメータとして精密度合いである検査レベルが予め記憶されており、前記制御手段は、設定された検査レベルに対応する検査内容に従って前記検査を実施することを特徴とする基板検査装置。
【請求項５】
請求項１又は３に記載の基板検査装置において、
前記設定手段は、さらに設定タイミングのうちマニュアル操作で検査を行うものを設定可能に構成され、前記制御手段は、前記マニュアル操作で検査を行うタイミングについてはオペレータによる指示操作を待って検査を実行するように構成されていることを特徴とする基板検査装置。
【請求項６】
請求項４に係る基板検査装置を用いた基板の検査方法であって、
前記検査タイミングとして基板毎に検査を実施する第１タイミングと特定の基板に検査を実施する第２タイミングとを設定し、かつ第１タイミングで実施する検査に比べて第２タイミングで実施する検査の精密度合いが高くなるように検査レベルを設定し、この設定内容に従って基板の検査を実施することを特徴とする基板検査方法。
【発明の詳細な説明】
【技術分野】
【０００１】
本発明は、回路基板に電子部品を実装する実装ライン等において基板を検査する基板検査装置および基板検査方法に関するものである。
【背景技術】
【０００２】
従来から、はんだ印刷装置（又はディスペンサ）、実装装置、リフロー炉等を一列に配列した生産ラインを構築し、回路基板を搬送しつつこれら各装置を経由させることにより基板上に電子部品を実装することが行われている。
【０００３】
この種の生産ラインでは、例えば装置毎にその下流側に検査装置を設け、回路基板に施された処理（作業）内容を検査することにより、処理不良があると判断した場合には、必要に応じてその基板をライン落ちさせるとともに検査結果をフィードバックして次の基板の処理に反映させることが行われている（特許文献１）
【特許文献１】特許第３２８３２７５号公報（特開平５−７１００号公報）
【発明の開示】
【発明が解決しようとする課題】
【０００４】
この種の生産ラインでは、予め固定的に設定された検査タイミング、検査内容に従って各検査装置により基板（処理）を検査するのが一般的であり、この点に改善の余地がある。
【０００５】
すなわち、例えば実装装置による部品搭載後の検査では、通常、全ての基板について毎回同じ検査レベルで全点検査（全ての部品搭載位置の検査）が実施されており、この際の検査レベルは、必要な製品精度を満足し得る範囲で比較的緩く、すなわち許容値が大きく設定されている。これは検査レベルを高く設定すると製品の信頼性は向上するもの、ライン落ちする基板が増加し、生産性が著しく低下するためである。しかしながら、この種の生産ラインでは、製品の信頼性を維持しつつ高い生産性を確保できるのが理想である。
【０００６】
従って、検査タイミングや検査内容についても基板の種類や処理の内容に応じてより柔軟に対応できるようにして、製品の信頼性を維持しつつ高い生産性を確保できるようにすることが望まれる。
【０００７】
本発明は上記の事情に鑑みてなされたものであって、回路基板に電子部品を実装する実装ライン等において、高い生産性を確保しつつ製品基板の信頼性を向上させることを目的とするものである。
【課題を解決するための手段】
【０００８】
上記課題を解決するために、本発明に係る基板検査装置は、複数の基板を順次搬送しながらペースト塗布、部品実装、リフローの少なくとも一つの処理を基板に施す処理装置の下流側に設けられ、前記処理が施された基板を撮像手段により撮像してその画像データに基づき前記処理の良否を検査する装置であって、前記撮像手段により撮像された基板の画像データに基づいて前記処理の良否を判定する判定手段と、検査タイミングに関するパラメータを記憶する記憶手段と、この記憶手段に記憶された前記パラメータに基づいて検査タイミングを設定可能とする設定手段と、この設定手段により設定された検査タイミングで、かつ当該検査タイミングについて予め設定されている検査内容に従って前記検査を実施すべく前記撮像手段および判定手段を制御する制御手段とを備え、前記設定手段は、検査タイミングに関する前記パラメータから複数のタイミングを設定可能に構成されているものである（請求項１）。
【０００９】
この装置では、撮像手段による基板の撮像結果（画像データ）に基づき判定手段において処理の良否判定が行われる。この装置では、オペレータによる設定手段の操作に基づき任意に設定される検査タイミングで、かつその検査タイミングについて予め固定的に設定されている検査内容に従って基板の撮像および判定手段による良否判定が行われる。そして、複数のタイミングがオペレータにより選定された場合には、各タイミングで、それぞれのタイミングについて予め固定的に設定されている検査内容に従って基板の撮像および良否判定が行われる。
【００１０】
また、本発明に係る別の基板検査装置は、複数の基板を順次搬送しながらペースト塗布、部品実装、リフローの少なくとも一つの処理を基板に施す処理装置の下流側に設けられ、前記処理が施された基板を撮像手段により撮像してその画像データに基づき前記処理の良否を検査する装置であって、前記撮像手段により撮像された基板の画像データに基づいて前記処理の良否を判定する判定手段と、検査内容に関するパラメータを記憶する記憶手段と、この記憶手段に記憶された前記パラメータに基づいて検査内容を設定可能とする設定手段と、予め設定されている検査タイミングで、かつ前記設定手段により設定された検査内容に従って前記検査を実施すべく前記撮像手段および判定手段を制御する制御手段とを備え、前記設定手段は、前記検査タイミングとして複数の検査タイミングが予め設定されている場合には、検査タイミング毎に個別に検査内容を設定可能に構成されているものである（請求項２）。
【００１１】
この装置についても、撮像手段による基板の撮像結果（画像データ）に基づき判定手段において処理の良否判定が行われるが、この装置では、予め固定的に設定されている検査タイミングで、かつオペレータによる設定手段の操作に基づき任意に設定される検査内容に従って基板の撮像および判定手段による良否判定が行われる。そして、複数のタイミングが予め固定的に設定されている場合には、それらのタイミング毎に、オペレータにより任意に設定される検査内容に従って基板の撮像および良否判定が行われる。
【００１２】
さらに、本発明に係る別の基板検査装置は、複数の基板を順次搬送しながらペースト塗布、部品実装、リフローの少なくとも一つの処理を基板に施す処理装置の下流側に設けられ、前記処理が施された基板を撮像手段により撮像してその画像データに基づき前記処理の良否を検査する装置であって、前記撮像手段により撮像された基板の画像データに基づいて前記処理の良否を判定する判定手段と、検査タイミングに関するパラメータおよび検査内容に関するパラメータを記憶する記憶手段と、この記憶手段に記憶された前記パラメータに基づいて検査タイミングおよび検査内容を設定可能とする設定手段と、この設定手段により設定された検査タイミングおよび検査内容に従って前記検査を実施すべく前記撮像手段および判定手段を制御する制御手段とを備え、前記設定手段が、検査タイミングに関する前記パラメータから複数のタイミングを設定可能に構成され、かつその設定タイミング毎に個別に検査内容を設定可能に構成されているものである（請求項３）。
【００１３】
この装置についても、撮像手段による基板の撮像結果（画像データ）に基づき判定手段において処理の良否判定が行われるが、この装置では、オペレータによる設定手段の操作に基づき任意に設定される検査タイミングおよび検査内容に従って基板の撮像および判定手段による良否判定が行われる。そして、オペレータにより複数のタイミングが選定され、かつタイミング毎に検査内容が設定された場合には、各タイミングで、それぞれのタイミングに対応した検査内容に従って基板の撮像および良否判定が行われる。
【００１４】
請求項２又は３に記載の装置においては、例えば検査内容に関する前記パラメータとして精密度合いである検査レベルが予め記憶されており、制御手段は、設定された検査レベルに対応する検査内容に従って前記検査を実施するものであるのが好ましい（請求項４）。
【００１５】
この装置によると、例えば前記検査タイミングとして基板毎に検査を実施する第１タイミングと特定の基板に検査を実施する第２タイミングとを設定し（任意に、又は予め固定的に設定し）、かつ第１タイミングで実施する検査に比べて第２タイミングで実施する検査の精密度合いが高くなるように検査レベルを設定し、この設定内容に従って基板の検査を実施することで（請求項６）、効率的でメリハリのある検査を実施することが可能となる。すなわち、基板毎に簡素な検査（精密度合いの低い低レベルの検査）を実施しながら、所定の基板、例えばロットの初品や最終品の基板については精密な検査（精密度合いの高い高レベルの検査）を実施することが可能となる。
【００１６】
なお、請求項１又は３に記載の基板装置装置において、前記設定手段は、さらに設定タイミングのうちマニュアル操作で検査を行うものを設定可能に構成され、前記制御手段は、前記マニュアル操作で検査を行うタイミングについてはオペレータによる指示操作を待って検査を実行するように構成されているものであってもよい（請求項５）。
【００１７】
この装置によると、特定のタイミングの検査についてはオペレータが付き添った状態で検査を行うことが可能となるため、目視を含めたより入念な検査が求められる場合に有用となる。
【発明の効果】
【００１８】
本発明に係る基板検査装置によると、検査タイミング又は検査内容の何れか一方、又は双方を任意に設定することができ、検査タイミングや検査内容についての設定の自由度が高い。そのため、例えば基板毎に簡素な検査（必要な製品精度を満足し得る範囲で比較的緩い検査）を実施することにより基板の生産性を高く維持しつつ、ロットの初回や最終の基板については精密な検査を実施することにより不具合の発生を事前に察知して対策を採るといったことが可能となる。従って、効率的でメリハリのある検査を行うことが可能となり、その結果、高い生産性を維持しつつ、製品基板の信頼性を向上させることができるようになる。
【発明を実施するための最良の形態】
【００１９】
本発明の実施の形態について図面を用いて説明する。
【００２０】
図１は、本発明が適用される基板の生産ラインを概略的に示している。この生産ラインは、ローダー（図示省略）、はんだ印刷装置（又はディスペンサ）１、印刷検査装置２、２種類の実装装置３Ａ，３Ｂ、実装検査装置４、リフロー炉５、はんだ付検査装置６およびアンローダー（図示省略）を一列に備え、これらを互いにコンベア７等で連結した構成となっている。そして、回路基板（以下、単に基板という）を搬送しながら、順次、はんだ印刷、部品実装およびリフローの各処理を基板に対して施すとともに、検査装置２，４，６により各処理の検査を行うように構成されている。
【００２１】
各装置１〜６にはそれぞれ制御装置が搭載されており基本的には各動作が各自の制御装置により個別に駆動制御されるが、この生産ラインではさらに各装置１〜６（制御装置）にオンラインで接続される中央管理装置８が設けられており、実装部品や基板に関するデータ、生産履歴に関するデータ等、各種データがこの中央管理装置８により集中管理されている。これにより当該各種データが各装置１〜６により共有化されている。
【００２２】
この生産ラインにおいて、本発明は実装検査装置４に適用されており、以下、この実装検査装置４の構成について詳細に説明することにする。
【００２３】
図２及び図３は、実装検査装置４の構成を概略的に示しており、図２は同装置４を平面図で、図３は同装置４を正面図でそれぞれ示している。この実装検査装置４は、実装装置３Ａ，３Ｂにおいて実装処理が施された後の基板の実装ポイントを撮像することにより部品の実装状態を画像認識してその良否を判定するものである。
【００２４】
実装検査装置４は、内部が空洞の略直方体形状に形成された基台１０を有している。この基台１０上には基板搬送手段１２が設けられ、検査対象としての基板Ｐがこの基板搬送手段１２の後記コンベアに沿って搬送されるようになっている。なお、当実施形態では、上記コンベアによる基板Ｐの搬送方向（図２で左右方向）をＸ軸方向、水平面上でＸ軸と直交する方向（図２で上下方向）をＹ軸方向という。
【００２５】
基板Ｐは基板搬送手段１２のコンベアに沿って装置右側から実装検査装置４に搬入され、基台１０の略中央に設けられた検査作業領域において検査処理に供された後、装置左側から次工程に搬出される（同図中の白抜き矢印方向）。
【００２６】
前記基板搬送手段１２は、それぞれ一対のベルトコンベアを備えたＸ軸方向に並ぶ３つの構成部分からなり、具体的には、基板搬送方向両側の各所定範囲に、ベルトコンベア２０Ａ，２１Ａおよび同２０Ｃ，２１Ｃを備えた搬入・搬出部１２Ａ，１２Ｃを有し、これらの間に、後記テーブル３０上にベルトコンベア２０Ｂ，２１Ｂを備えた可動部１２Ｂを有している。
【００２７】
搬入・搬出部１２Ａ，１２Ｃにおいては、前側のコンベア２０Ａ，２０Ｃが基台１０上に固定的に設けられる一方、後側のコンベア２１Ａ，２１ＣがＹ軸方向に移動可能とされ、図略のモータで駆動されて後側のコンベア２１Ａ，２１Ｃが移動することにより、基板Ｐのサイズに応じたコンベア間隔の調整が可能となっている。
【００２８】
可動部１２Ｂにおいては、Ｙ軸方向に移動可能な後記テーブル３０上に一対のコンベア２０Ｂ，２１Ｂが設けられ、そのうちの前側のコンベア２０Ｂはテーブル３０に対して固定され、後側のコンベア２１Ｂはテーブル３０に対しＹ軸方向に移動可能に支持されている。そして、図外のモータで駆動されて後側のコンベア２１Ｂが移動することにより、コンベア２０Ｂ，２１Ｂの間隔が変化して、基板Ｐのサイズ変更に対応し得るようになっている。
【００２９】
上記テーブル３０は、基台１０上に固定されたＹ軸方向のガイドレール３１に沿って移動可能とされるとともに、基台１０上に回転可能に支持されたＹ軸方向のボールねじ軸３２に螺合するナット部（図示せず）を有し、上記ボールねじ軸３２がモータ３３によって回転駆動されることにより、テーブル３０がガイドレール３１に沿ってＹ軸方向に移動するようになっている。
【００３０】
上記基台１０の台面には門型の支持台３５が立設されている。この支持台３５は基台１０の前後方向（図２における上下方向）における中央部に対してやや後寄りの位置に設けられており、この支持台３５は左右方向の両端部からそれぞれ起立する脚柱部３６と、この脚柱部３６の上端部同士を橋渡す梁部３７とからなっている。
【００３１】
支持台３５の梁部３７には、基板Ｐを撮像するための撮像装置４０と、この撮像装置４０を梁部３７に沿って移動させるための駆動装置４２とが設けられている。この駆動装置４２は、支持台３５の梁部３７上に設置されたモータ４４と、このモータ４４の出力軸に連結され且つ左右方向に延びるボールねじ軸４６と、このボールねじ軸４６と平行に梁部３７上に設置された一対のガイドレール４８とを有する。
【００３２】
一方、撮像装置４０は、上記ボールねじ軸４６に螺合装着された支持フレーム５０に支持されている。したがって、撮像装置４０は、上記モータ４４を駆動することにより、支持フレーム５０と一体的に上記ガイドレール４８に沿ってＸ軸方向に移動する。
【００３３】
撮像装置４０は、被写体としての上記基板Ｐを撮像するためのカメラ５２と、基板Ｐを照明するための照明装置５３とを備えている。カメラ５２は、ＣＣＤカメラであり、固体撮像素子が内蔵されたカメラ本体の先端に対物レンズが内蔵されたレンズ部を有した構成となっており、下向きの姿勢で前記支持フレーム５０に固定されている。
【００３４】
以上の構成において、検査作業に際しては、まず基板搬送手段１２の作動により基板Ｐが搬入部１２Ａから可動部１２Ｂへと搬送され、可動部１２Ｂの所定位置に基板Ｐが位置決め固定される。このとき、基板搬送手段１２のテーブル３０は、ホームポジション、すなわち可動部１２Ｂのコンベア２０Ｂ，２１Ｂと、搬入部１２Ａおよび搬出部１２Ｃのコンベア２０Ａ，２１Ａ等とが横並びとなる位置（図２に示す位置）にセットされており、これにより可動部１２Ｂに対して基板Ｐの搬入が可能となる。
【００３５】
そして、基板Ｐがテーブル３０に位置決め固定された状態で、モータ３３，４４等が後記制御装置６０により駆動制御されることにより、基板Ｐが固定されたテーブル３０がＹ軸方向に移動し、かつ撮像装置４０がＸ軸方向に移動する。これにより基板Ｐ上における実装ポイントの撮像が行われ、撮像結果に基づいた基板Ｐの検査が行われる。そして、検査が完了すると、テーブル３０がホームポジションにリセットされ、基板Ｐが搬出部１２Ｃを介して次工程（リフロー炉５）へと搬出されることとなる。
【００３６】
図４は、実装検査装置４の制御系をブロック図で示している。
【００３７】
この図に示すように、実装検査装置４は、基板搬送手段１２や撮像装置４０の駆動を制御する制御装置６０を有している。この制御装置６０は、制御部本体６１、キーボード６８、ＬＣＤ６９および光磁気ディスク等の外部記憶装置６７を備えている。
【００３８】
制御部本体６１は、論理演算を実行する周知のＣＰＵ６２、そのＣＰＵ６２を制御する種々のプログラムなどを予め記憶するＲＯＭ６３、装置動作中に種々のデータを一時的に記憶するＲＡＭ６４、種々のプログラムやＯＳ、さらに後述する各種パラメータ等、検査に必要な各種データを記憶するＨＤＤ６５およびＩ／Ｏコントローラ（ＩＯＣ）６６等を備え、これらＣＰＵ６２等が互いに内部バスにより接続された構成となっている。
【００３９】
ＩＯＣ６６には、キーボード６８及びＬＣＤ６９の他、モータ３３，３４等、照明装置５３およびカメラ５２の各制御回路７１〜７３と、表示器（警告灯）７４が接続されており、ＣＰＵ６２からの指令に従い、各制御回路７１〜７３等と制御部本体６１との間の各種制御信号および各種データの入出力がこのＩＯＣ６６を介して制御されることにより、基板搬送手段１２や撮像装置４０の動作が制御部本体６１により制御されるようになっている。
【００４０】
図５は、制御部本体６１に含まれる機能構成のうち、主に基板Ｐの検査を実行する機能構成をブロック図で示している。
【００４１】
この図に示すように、制御部本体６１は、上記の機能構成として主制御部６１１、判定部６１２および記憶部６１３を有している。
【００４２】
主制御部６１１は、予め記憶されたプログラムに従って所定の検査処理を実行すべく前記制御回路７１〜７３を介して前記モータ３３等を統括的に制御するもので、検査処理に先立ちオペレータにより設定される検査タイミング（設定タイミング）に基づいて検査処理を実行すべく前記モータ３３等を制御する。また、検査後は、検査結果に応じた表示を行うべくＬＣＤ６９、表示器７４等に信号を出力する。
【００４３】
判定部６１２は、制御回路７３を介してカメラ５２から出力される画像データに基づいて部品の実装誤差を求め、この誤差が許容値内か否かを判定するもので、検査処理に先立ちオペレータにより設定される検査レベル（検査内容）に基づいて判定を行う。
【００４４】
記憶部６１３は、検査タイミングおよび検査内容に関するパラメータと各パラメータに対応するデータを記憶するものである。当実施形態では、検査タイミングに関するパラメータとして「通常」、「初品」、「最終品」、「既定数」の４つのタイミングが記憶されている。また、検査内容として、図６に示すように検査（実装）ポイント毎に「１」〜「３」の３段階の検査レベルと各レベルに対応する検査内容、具体的には実装誤差の許容値が記憶されている。
【００４５】
ここで、検査タイミングとは、検査を実施するタイミング、換言すれば検査対象となる基板Ｐを特定する方法であって、上記タイミングの内容は次の通りである。
・「通常」  …全ての基板を検査対象とする。
・「初品」  …生産ライン起動後、最初の基板を検査対象とする。
・「最終品」…最終基板を検査対象とする。
・「既定数」…生産ライン起動後、決められた数毎の基板を検査対象とする。
【００４６】
一方、検査レベルとは、検査の精密度合を示すもので、検査レベルが高い程、図６に示すように判定基準となる実装誤差の許容値が小さく設定されている。例えば検査レベル「１」の許容値は、必要な製品精度を満足し得る範囲で十分に緩い値とされている。
【００４７】
つまり、この実装検査装置４では、生産ラインの稼働前にオペレータがＬＣＤ６９を見ながらキーボード６８を操作して検査タイミングおよび検査レベルを指定（入力）するようになっており、前記主制御部６１１は、この指定に基づき記憶部６１３から検査タイミングに関するデータを読出し設定し、当該検査タイミングで検査を実施すべく前記モータ３３等を駆動制御するようになっている。また、判定部６１２は、上記指定に基づき記憶部６１３から検査レベルに関するデータを読出し設定し、当該検査レベルに従って実装状態の良否判定を行うようになっている。
【００４８】
なお、検査タイミングとして上記パラメータから複数の検査タイミングを設定可能となっており、複数の検査タイミングを設定した場合には、さらに各タイミングの検査レベルを個別に設定できるようになっている。例えば、ＬＣＤ６９に表示される図７に示すような画面表示に従ってオペレータが該当箇所にチャックを入れることにより、検査タイミングと検査レベルとを設定可能となっている。図示の例では、検査タイミングとして「通常」、「初品」、「最終品」および「既定数」の全てのタイミングが指定されおり、各タイミングの検査レベルがそれぞれ「１」、「２」、「３」、「２」に指定されている。なお、当実施形態では、キーボード６８、ＬＣＤ６９及び主制御部６１１等により本発明の設定手段が構成されている。
【００４９】
次に、上記制御装置６０による検査処理動作の制御について図８のフローチャートに従って説明する。
【００５０】
このフローチャートがスタートすると、まずステップＳ１で基板搬送手段１２を駆動し、実装装置３Ａ，３Ｂから搬出された基板Ｐを実装検査装置４に搬入する。なお、当実施形態では、検査タイミングと検査レベルの設定が事前に行われていることを前提として基板Ｐの搬入が行われるものとする。
【００５１】
基板Ｐが搬入されると、検査タイミングとして「初品」が設定されているか否かを判断し、ＹＥＳと判断した場合には、当該基板Ｐが初品、つまり生産ライン起動後、最初の基板Ｐか否かを判断する（ステップＳ２，Ｓ３）。ここでＹＥＳと判断した場合には、ステップＳ４に移行して当該基板Ｐの検査を実行する。具体的には、撮像装置４０およびテーブル３０を駆動することにより基板Ｐ上の実装ポイントに順次撮像装置４０（カメラ５２）を移動させて当該ポイントを撮像し、その画像データに基づいて各実装ポイントの実装誤差を求め、この誤差が、設定された検査レベルを満足するものか否か、つまり当該検査タイミング（「初品」）について設定された検査レベルの許容値内か否かに基づいて実装状態の合否を判定する（図７の例では、検査レベル「２」で実装状態の合否を判定する）。
【００５２】
ステップＳ２，Ｓ３においてＮＯと判断した場合にはステップＳ８に移行し、検査タイミングとして「最終品」が設定されているか否かを判断する。ここでＹＥＳと判断した場合には、さらに当該基板Ｐが最終品に該当するか否かを判断し、ＹＥＳと判断した場合には上記と同様にして当該基板Ｐの検査を実行する（ステップＳ９，Ｓ１０）。この際、当該検査タイミング（「最終品」）について設定された検査レベルに従って合否判定を行う（図７の例では、検査レベル「３」で実装状態の合否を判定する）。
【００５３】
ステップＳ８，Ｓ９においてＮＯと判断した場合にはステップＳ１１に移行し、検査タイミングとして「既定数」が設定されているか否かを判断する。ここでＹＥＳと判断した場合には、さらに当該基板Ｐが既定数の基板か否かを判断し、ＹＥＳと判断した場合には当該基板Ｐの検査を実行する（ステップＳ１２，Ｓ１３）。この際、当該検査タイミング（「規定数」）について設定された検査レベルに従って合否判定を行う（図７の例では、検査レベル「２」で実装状態の合否を判定する）。
【００５４】
ステップＳ１１，Ｓ１２においてＮＯと判断した場合にはステップＳ１４に移行し、検査タイミングとして「通常」が設定されているか否かを判断する。ここでＹＥＳと判断した場合には、当該基板Ｐの検査を実行する（ステップＳ１５）。この際、当該検査タイミング（「通常」）について設定された検査レベルに従って合否判定を行う（図７の例では、検査レベル「１」で実装状態の合否を判定する）。
【００５５】
なお、ステップＳ１４でＮＯと判断した場合には、検査タイミングとして「通常」以外のタイミングが設定されているか否かを判断し（ステップＳ１６）、ここでＹＥＳと判断した場合にはステップＳ６移行する。これに対してＮＯと判断した場合には、上記表示器７４およびアラーム（図示せず）を作動させてエラー発生を報知するとともに実装検査装置４を停止させる（ステップＳ１７）。すなわち、検査タイミングが設定されていることが基板搬入の前提となるため、ステップＳ１６でＮＯの場合には何らかのエラーが発生したとしてオペレータに通報するようになっている。この通報に対してオペレータが所定のエラー処理を実行するとステップＳ２に移行する（ステップＳ１８）。
【００５６】
ステップＳ４，Ｓ１０，Ｓ１３，Ｓ１５において基板Ｐの検査が実行されると、次いで検査結果が合格判定か否かを判断し（ステップＳ５）、ここでＹＥＳと判断した場合には当該基板Ｐを次工程へ搬出した後、実装検査装置４の検査処理動作を終了するか否かを判断する（ステップＳ６，Ｓ７）。そしてステップＳ７でＮＯと判断した場合にはステップＳ１に移行して次の基板Ｐを搬入し、ＹＥＳと判断した場合には本フローチャートを終了する。
【００５７】
一方、ステップＳ５でＮＯと判断した場合には、表示器７４およびアラームを作動させてオペレータに対して報知するとともに実装検査装置４を停止させる（ステップＳ１９，Ｓ２０）。これに対してオペレータがＬＣＤ６９に画像を表示させる等して当該基板Ｐを目視で判定し、その結果がキーボード６８の操作に基づき入力されると、当該判定が合格判定か否かを判断する（ステップＳ２１）。ここでＹＥＳと判断した場合にはステップＳ６に移行して当該基板Ｐを次工程に搬出する。一方、ステップＳ２１でＮＯと判断した場合には、オペレータが所定の不良対応処理、例えば当該基板Ｐにマーキングを施した上で次工程に搬出する、あるいは当該基板Ｐをラインアウトさせる等の処理の終了を待ち、キーボード６８の操作により当該処理の終了がオペレータにより入力されるとステップＳ７に移行する（ステップＳ２２）。
【００５８】
上記の制御に基づく実装検査装置４の動作について簡単にまとめると次の通りである。
【００５９】
この実装検査装置４では、搬入された基板Ｐが事前に設定された検査タイミングの基板に該当するか否かが随時チェックされ、該当する場合にはその検査タイミングについて設定された検査レベルで当該基板Ｐの検査が実行され、該当しない場合には検査が行われることなく当該基板Ｐが次工程へと搬出される。
【００６０】
検査タイミングとして複数のタイミングが設定されている場合には、それぞれのタイミングで検査が実行され、この際、搬入された基板Ｐが複数の検査タイミングのいずれにも該当する場合には、優先順位として「初品」、「最終品」、「既定数」、「通常」の順で、各検査タイミングについて設定された検査レベルに基づいて当該基板Ｐの検査が実行される。なお、このように「初品」、「最終品」、「既定数」の検査レベルを優先適用するのは、これらのタイミングでは精密度合いの高い検査が要求される場合が多いためである。
【００６１】
以上のような実装検査装置４によると、撮像装置４０により基板Ｐの撮像結果（画像データ）に基づき実装状態の良否判定を行うが、上記の通り、検査タイミングとして複数のタイミングを設定可能であり、しかも検査タイミング毎に個別に検査のレベル（精密度合い）を設定することができるので、検査タイミングおよび検査内容についての自由度が高く、効率的でメリハリのある検査を実施することが可能となり、これによって高い生産性を維持しつつ、製品基板の信頼性を向上させることができる。
【００６２】
具体的には、例えば検査タイミングおよび検査レベルを予め図７に示すように設定することにより、効率的でメリハリのある検査を実施することが可能となる。すなわち、この設定によれば、大部分の基板Ｐについては基板毎に簡素な検査（必要な製品精度を満足し得る範囲で比較的緩い検査レベル「１」の検査）を実施することによりライン落ち基板Ｐの頻発を回避して基板Ｐの生産性を高く維持することができ、初品、最終品および既定数の基板Ｐについては精密な検査（すなわち検査レベル「２」，「３」の検査）を実施することによりその結果とそのときの実装誤差の傾向とから不具合の発生を事前に察知して対策を採ることが可能となる。従って、毎回同じ検査レベルで全点検査が実施される従来の検査装置と比較すると、基板Ｐの品質を保ちながらも効率的でメリハリのある検査が可能となり、その結果、高い生産性を維持しつつ、製品基板の信頼性を向上させることができるようになる。
【００６３】
また、従来の生産ラインでは、実装ポイントの自動認識に基づいて比較的緩い検査レベルで全基板を検査しつつ、「初品」、「最終品」、「既定数」といった基板について入念なチェックを行いたい場合には、当該基板を目視等により検査することが行われていたが、上記の実装検査装置４によれば、「初品」、「最終品」、「既定数」についてのみ高いレベルで検査を実施する場合も含め、全ての検査を撮像装置４０を用いた自動認識により行うことができる。そのため、従来のようなオペレータによるマニュアル作業（目視検査）を自動化することができ、その結果、基板Ｐの生産性を高めることができるという利点もある。
【００６４】
ところで、上述した実装検査装置４およびこの装置を用いた基板Ｐの検査の方法（すなわち、図７に示したような設定内容で基板Ｐの検査を行う方法）は、本発明に係る基板検査装置および基板検査方法の一実施形態であって、その具体的な構成および方法は本発明の要旨を逸脱しない範囲で適宜変更可能である。例えば次のような装置構成を採用することもできる。
【００６５】
（１）上記実施形態では、検査内容に関するパラメータとして精密度合いの異なる３段階の検査レベルを選定可能としているが、４段階、あるいはそれ以上の段階の検査レベルを選定可能としてもよい。また、検査レベル以外に、例えば検査ポイントの数をパラメータとしてもよい。すなわち、１００％（全ての実装ポイントについて検査）、７０％（実装ポイントのうち７０％を検査）、５０％（実装ポイントのうち５０％を検査）といったパラメータを採用し、検査タイミングに応じて実装ポイントの数を変更するようにしてもよい。この場合、検査レベルと検査ポイントの数の双方を設定可能に構成してもよい。
【００６６】
（２）上記実施形態では、検査タイミングに関するパラメータとして「通常」「初品」「最終品」「既定数」といった４つのタイミングが設定可能となっているが、３つ以下、あるいは５つ以上のタイミングを設定可能としてもよい。また、「既定数」についてはさらにキーボード６８の操作により任意の数を設定可能に構成してもよい。
【００６７】
（３）上記実施形態では、検査タイミングとして複数のタイミングが設定された場合には、優先順位として「初品」「最終品」「既定数」「通常」の順で、各検査タイミングについて設定された検査レベルで基板Ｐの検査を行うようにしているが（図８参照）、各タイミングについて設定されている検査レベルを比較し、その結果、レベルの高い方の検査レベルから順に検査を行うようにしてもよい。
【００６８】
（４）上記実施形態では、設定したタイミングで自動的に検査を実行するようにしているが、設定タイミングのうちマニュアル操作で検査を行えるものを設定できるように構成してもよい。この場合、例えば図７に示した表示例にさらにマニュアル操作用のチェック欄を設け、チェックされたタイミングについては、当該タイミングに該当する基板Ｐが実装検査装置４に搬入された段階でオペレータに報知し、キーボード操作によるオペレータの指示入力を待って検査を実行するように構成することができる。このような構成によれば、特定のタイミングの検査についてオペレータが付き添った状態で検査を行うことが可能となるため、オペレータの目視検査を含めたより入念な検査が求められる場合に有用となる。
【００６９】
（５）上記実施形態では、検査タイミングに関するパラメータおよび検査内容に関するパラメータの双方を設け、オペレータが検査タイミングと検査内容の組み合わせを任意に設定できるようにしているが、検査タイミング又は検査内容の何れか一方のパラメータのみ設けるようにしてもよい。具体的には、複数の検査タイミングを予め固定的に設定しておき、各検査タイミングの検査内容としてオペレータが上記検査レベル等を任意に設定できるようにしてもよい。また、複数の検査タイミングを任意に選定可能としておき、オペレータが選定した検査タイミングで、当該検査タイミングについて予め固定的に設定されている検査内容に従って検査を実施するようにしてもよい。これらの構成の場合も、検査タイミングや検査内容についての設定の自由度を高めることができ、その結果、基板の種類や処理の内容に応じて効率的でメリハリのある検査を行うことが可能となる。
【００７０】
（６）上記実施形態では、実装装置３Ａ，３Ｂによる実装処理後の基板Ｐを検査する実装検査装置４に本発明を適用した例について説明したが、本発明は、印刷検査装置２やはんだ付検査装置６についても勿論適用可能である。この場合、検査タイミングに関するパラメータや検査内容に関するパラメータについては、各装置２，６に応じて適宜選定するようにすればよい。
【図面の簡単な説明】
【００７１】
【図１】本発明が適用される回路基板の生産ラインを示す模式図である。
【図２】実装検査装置を示す平面略図である。
【図３】実装検査装置を示す正面略図である。
【図４】実装検査装置の制御系を示すブロックである。
【図５】制御部本体のうち基板の検査を実行するための機能構成を示すブロック図である。
【図６】検査ポイント（実装ポイント）と検査レベルとの関係（データ例）を示す図である。
【図７】ＬＣＤに表示された検査タイミングおよび検査レベルの設定例を示す図である。
【図８】制御装置による検査処理動作の制御例を示すフローチャートである。
【符号の説明】
【００７２】
１  クリームはんだ印刷装置
２  印刷検査装置
３Ａ，３Ｂ  実装装置
４  実装検査装置
５  リフロー炉
６  はんだ付検査装置
８  中央管理装置
６０  制御装置
６１  制御部本体
６８  キーボード
６９  ＬＣＤ
６１１  主制御部
６１２  判定部
６１３  記憶部
【図１】
2006214820.tif 000003
【図２】
2006214820.tif 000004
【図３】
2006214820.tif 000005
【図４】
2006214820.tif 000006
【図５】
2006214820.tif 000007
【図６】
2006214820.tif 000008
【図７】
2006214820.tif 000009
【図８】
2006214820.tif 000010